(57)【特許請求の範囲】
【請求項１】
店舗内に配設されかつ商品販売に係るデータ処理を行う店舗機と本部内に配設された本部機とがネットワークを介してデータ通信可能に接続されるとともに、本部機から店舗機に該データ処理を行うための本部マスターデータを配信可能に形成された商品販売データ処理システムにおいて、
前記店舗機が店舗マスターファイルに記憶されている前記本部マスターデータに基づく店舗マスターデータについて店舗メンテナンス可能かつ前記本部機から集信要求を受信した場合に店舗メンテナンス済み店舗マスターデータを本部機に送信可能に形成され、前記本部機が本部マスターファイルに記憶されている前記本部マスターデータについての本部メンテナンスを実行する前に前記店舗機に該集信要求を送信可能かつ当該店舗機から受信した店舗メンテナンス済み店舗マスターデータを本部マスターファイルに記憶されている前記本部マスターデータに反映させた後に本部メンテナンスを実行可能に形成されている商品販売データ処理システム。
【請求項２】
前記店舗機の前記店舗メンテナンスには、即時データのメンテナンスと予約データのメンテナンスとが含まれる請求項１記載の商品販売データ処理システム。
【請求項３】
前記本部機の前記本部メンテナンスには、即時データのメンテナンスと予約データのメンテナンスとが含まれる請求項１または請求項２記載の商品販売データ処理システム。
【請求項４】
前記本部機が、前記集信要求に関して前記店舗機から受信した店舗メンテナンス済み店舗マスターデータに含まれる前記即時データについては当該受信直後に前記本部マスターファイルに反映可能かつ当該店舗マスターデータに含まれる前記予約データについては当該予約日以降の最初の起動時に前記本部マスターファイルに反映可能に形成されている請求項２または請求項３記載の商品販売データ処理システム。
【請求項５】
前記店舗機が、前記本部機から配信された前記本部マスターデータを店舗配信ファイルに記憶可能であるとともに、当該本部マスターデータに含まれる前記即時データについては当該配信を受信した後の最初の開店処理時に前記店舗マスターファイルに反映可能かつ当該本部マスターデータに含まれる前記予約データについては当該予約日時以降の最初の開店処理時に前記店舗マスターファイルに反映可能に形成されている請求項３または請求項４記載の商品販売データ処理システム。
【請求項６】
店舗内に配設されかつ商品販売に係るデータ処理を行う店舗機と本部内に配設された本部機とがネットワークを介してデータ通信可能に接続されるとともに、本部機から店舗機に該データ処理を行うための本部マスターデータを配信可能に形成された商品販売データ処理システムにおいて、
前記店舗機に、店舗マスターデータを店舗メンテナンスするための店舗メンテナンス入力手段と，店舗メンテナンス済み店舗マスターデータを店舗設定テーブルに記憶する店舗設定記憶制御手段と，店舗メンテナンス済み店舗マスターデータの中の即時データについて店舗マスターファイルに反映させる店舗即時反映制御手段，前記本部機から集信要求を受信した場合に店舗設定テーブルに記憶されている店舗マスターデータを当該本部機に応答送信する応答送信制御手段と，前記本部機から配信されて来た本部マスターデータを店舗配信ファイルに記憶する店舗配信記憶制御手段と，開店処理時に店舗配信ファイルに記憶されている本部マスターデータの中の即時データを店舗マスターファイルに反映させる店舗配信即時反映制御手段と，開店処理時に店舗配信ファイルに記憶されている本部マスターデータの中の予約日が当日である予約データを店舗マスターファイルに反映させる店舗配信予約反映制御手段とを設け、
前記本部機に、本部マスターデータについての本部メンテナンスを実行する前に前記店舗機に集信要求を送信する集信要求送信制御手段と，集信要求に応えて当該店舗機から応答受信した店舗メンテナンス済み店舗マスターデータを本部集信ファイルに記憶する集信記憶制御手段と，集信記憶された店舗メンテナンス済み店舗マスターデータの中の即時データについて本部マスターファイルに反映させる本部集信即時反映制御手段と，集信記憶された店舗メンテナンス済み店舗マスターデータの中の予約データについて本部マスターファイルに反映させる本部集信予約反映制御手段と，本部マスターデータを本部メンテナンスするための本部メンテナンス入力手段と，本部メンテナンス済み本部マスターデータの中の即時データを本部即時設定テーブルに記憶する本部即時設定記憶制御手段と，本部メンテナンス済み本部マスターデータの中の予約データを本部予約設定テーブルに記憶する本部予約設定記憶制御手段と，配信要求に基づいて本部即時設定テーブルおよび本部予約設定テーブルに記憶されている本部メンテナンス済み本部マスターデータを前記店舗機に配信する本部配信制御手段とを設け、前記店舗機および本部機の双方において当該各マスターデータをメンテナンス可能であるとともに、前記本部機が店舗機側で店舗メンテナンスされた店舗マスターデータについて反映した後に本部メンテナンスを実行可能かつ本部メンテナンス後の本部マスターデータを店舗機に配信可能に形成した商品販売データ処理システム。
【請求項７】
店舗に配設されかつ商品販売に係るデータ処理を行う店舗機とネットワークを介してデータ通信可能に接続された本部機から店舗機に該データ処理を行うための本部マスターデータを配信するための商品販売データ処理プログラムを記憶したコンピュータで読取り可能な記憶媒体であって、
前記商品販売データ処理プログラムが、これを読取った前記本部機を形成するコンピュータに、本部マスターファイルに記憶されている前記本部マスターデータについての本部メンテナンスを実行する前に前記店舗機に集信要求を送信させかつ当該店舗機から受信した店舗メンテナンス済み店舗マスターデータを本部マスターファイルに記憶されている前記本部マスターデータに反映させた後に本部メンテナンスの実行を許可させるものとされている、商品販売データ処理プログラムを記憶したコンピュータで読取り可能な記憶媒体。
【発明の詳細な説明】
【０００１】
【発明の属する技術分野】
本発明は、店舗内に配設されかつ商品販売に係るデータ処理を行う店舗機と本部内に配設された本部機とがネットワークを介してデータ通信可能に接続されるとともに、本部機から店舗機に該データ処理を行うための本部マスターデータを配信可能に形成された商品販売データ処理システムに関する。
【０００２】
【従来の技術】
図８において、商品販売データ処理システム（ＰＯＳシステム）は、店舗内に配設されかつ商品販売に係るデータ処理を行う店舗機２０と本部内に配設されかつ各店舗内の店舗機２０を一括管理する本部機３０とをネットワーク（例えば、ＩＳＤＮ）２を介してデータ通信可能に接続して構築されている。
【０００３】
店舗機２０には、商品登録機能，会計処理機能等を有する当該店舗内に配設された複数（例えば、２００台）の端末（例えば、電子キャッシュレジスタ）１０がネットワーク（例えば、ＬＡＮ）１を介してデータ通信可能に接続されている。
【０００４】
店舗機２０は、各端末１０から売上データを回収し、本部機３０へ送信する。また、本部機３０から配信された各種設定データ等を当該各端末１０へダウンロードする。つまり、店舗全体管理をしつつ本部（３０）と各端末１０との仲介業務を司る。
【０００５】
ここに、各端末１０で実行する商品販売データ処理のうちの商品登録処理は、当該店舗機２０の店舗マスターファイルに記憶された商品情報を利用して行われる。つまり、端末１０で入力された商品コードに対応する商品データ（例えば、商品名，単価等）を店舗マスターファイル（店舗マスターデータ）から得て、売上ファイルに登録する。かくして、店舗全体を画一的で正確に運用できる。
【０００６】
この店舗マスターデータは本部機３０から配信されて来るので、店舗機２０内の店舗マスターデータは本部機３０内の本部マスターファイルに記憶された本部マスターデータと常に同じである。つまり、整合されている。
【０００７】
そして、本部マスターデータのメンテナンス（商品データの追加・変更・削除等）は、本部内で行われ、このメンテナンス済み本部マスターデータが店舗機２０に配信される。すなわち、店舗において、店舗マスターデータについての店舗メンテナンスは、許可されていない。
【０００８】
【発明が解決しようとする課題】
ところで、本部主導の従来本部メンテナンス方式では、各店舗ごとの例えば地域的，季節的な固有的事情の詳細を掌握することが難しい。つまり、店舗ごとの販売商品等に関する固有事情の反映が難しいので、販売成績が低下する。
【０００９】
そこで、店舗ごとに当該店舗マスターファイル（当該店舗マスターデータ）のメンテナンスを許可することが容認されつつある。しかし、この場合でも店舗マスターファイル（当該店舗マスターデータ）と本部マスターファイル（本部マスターデータ）との整合性を図らねばならない。
【００１０】
かくして、店舗マスターファイル（店舗マスターデータ）のメンテナンスを実行した店舗から本部に、電話・ファクシミリ連絡や記憶媒体（例えば、フロッピーディスク）を用いてその内容・時期等を報告している。しかし、これら方法では、人手が掛かりかつ大きな時間遅れが生じるばかりか、過誤，看過等の立ち入る機会が多いので正確性に欠ける場合が多々に生じる。つまり、これら問題が、本部および各店舗のそれぞれでメンテナンスを行えるとする双方メンテナンス方式の導入かつ普及の阻害要因となっている。
【００１１】
本発明の目的は、マスターデータのメンテナンスを本部および各店舗の双方でそれぞれに実行できるとともに両者データを迅速かつ正確に整合させることができる商品販売データ処理システムを提供することにある。また、商品販売データ処理プログラムを記憶したコンピュータで読取り可能な記憶媒体を提供する。
【００１２】
【課題を解決するための手段】
請求項１の発明は、店舗内に配設されかつ商品販売に係るデータ処理を行う店舗機と本部内に配設された本部機とがネットワークを介してデータ通信可能に接続されるとともに、本部機から店舗機に該データ処理を行うための本部マスターデータを配信可能に形成された商品販売データ処理システムにおいて、前記店舗機が店舗マスターファイルに記憶されている前記本部マスターデータに基づく店舗マスターデータについて店舗メンテナンス可能かつ前記本部機から集信要求を受信した場合に店舗メンテナンス済み店舗マスターデータを本部機に送信可能に形成され、前記本部機が本部マスターファイルに記憶されている前記本部マスターデータについての本部メンテナンスを実行する前に前記店舗機に該集信要求を送信可能かつ当該店舗機から受信した店舗メンテナンス済み店舗マスターデータを本部マスターファイルに記憶されている前記本部マスターデータに反映させた後に本部メンテナンスを実行可能に形成された商品販売データ処理システムである。
【００１３】
かかる発明では、店舗機において、必要とする場合には、店舗マスターファイルに記憶されている先に配信されて来た本部マスターデータに基づく店舗マスターデータについて、店舗メンテナンスを実行することができる。
【００１４】
一方、本部機が本部マスターファイルに記憶されている本部マスターデータについての本部メンテナンスを実行する際は、これに先だって、店舗機に集信要求を送信する。これを受信した店舗機では、店舗メンテナンス済み店舗マスターデータを本部機に送信（応答）する。
【００１５】
かくして、本部機では、当該店舗機から受信した店舗メンテナンス済み店舗マスターデータを本部マスターファイルに記憶されている本部マスターデータに反映させた後に本部メンテナンスを実行する。つまり、店舗機において独自に店舗メンテナンスを実行した場合の店舗メンテナンスデータは消失されることなく本部マスターデータに確実に反映されかつこの反映後の本部マスターデータをベースとして本部メンテナンスを実行する。この段階で、本部マスターデータは店舗マスターデータに整合している。
【００１６】
本部メンテナンスが行われた後の本部マスターデータは、例えば通常配信の場合と同様に、当該店舗機に配信される。店舗機は、店舗マスターファイルに記憶されていた店舗マスターデータを、本部から配信された本部メンテナンス済み本部マスターデータに書き換える。この本部メンテナンス済み本部マスターデータには、当該店舗で直前に行った店舗メンテナンスの内容が反映されている。かくして、この段階で、店舗マスターデータは本部マスターデータに整合する。
【００１７】
したがって、マスターデータのメンテナンスを本部および各店舗の双方でそれぞれに実行できるとともに両者データを迅速かつ正確に整合させることができるとともに、店舗から本部への従来報告事務を一掃できるから双方メンテナンス方式の導入が容易でかつ業務能率を大幅に向上できる。
【００１８】
また、請求項２の発明は、前記店舗機の前記店舗メンテナンスには、即時データのメンテナンスと予約データのメンテナンスとが含まれる商品販売データ処理システムである。
【００１９】
かかる発明では、店舗機において、即時利用の即時データおよび例えば２日後から利用する予定の予約データの何れに対しても店舗メンテナンスを行える。したがって、請求項１の発明の場合と同様な作用効果を奏することができることに加え、さらに適応性が広い。
【００２０】
また、請求項３の発明は、前記本部機の前記本部メンテナンスには、即時データのメンテナンスと予約データのメンテナンスとが含まれる商品販売データ処理システムである。
【００２１】
かかる発明では、本部機において、即時利用の即時データおよび例えば７日後から利用する予定の予約データの何れに対しても本部メンテナンスを行える。したがって、請求項１および請求項２の発明の場合と同様な作用効果を奏することができることに加え、さらに適応性がより広い。
【００２２】
また、請求項４の発明は、前記本部機が、前記集信要求に関して前記店舗機から受信した店舗メンテナンス済み店舗マスターデータに含まれる前記即時データについては当該受信直後に前記本部マスターファイルに反映可能かつ当該店舗マスターデータに含まれる前記予約データについては当該予約日以降の最初の起動時に前記本部マスターファイルに反映可能に形成されている商品販売データ処理システムである。
【００２３】
かかる発明では、本部機は、送信した集信要求に関して店舗機から店舗マスターデータを受信した場合には、当該店舗メンテナンス済み店舗マスターデータに含まれる即時データについては当該受信直後に本部マスターファイルに反映する。また、当該予約データについては当該予約日以降の最初の起動時に本部マスターファイルに反映する。
【００２４】
したがって、請求項２および請求項３の発明の場合と同様な作用効果を奏することができることに加え、さらにデータ管理が容易でかつ即時デ−タおよび予約データをそれぞれの適時から確実に利用することができる。
【００２５】
さらに、請求項５の発明は、前記店舗機が、前記本部機から配信された前記本部マスターデータを店舗配信ファイルに記憶可能であるとともに、当該本部マスターデータに含まれる前記即時データについては当該配信を受信した後の最初の開店処理時に前記店舗マスターファイルに反映可能かつ当該本部マスターデータに含まれる前記予約データについては当該予約日時以降の最初の開店処理時に前記店舗マスターファイルに反映可能に形成されている商品販売データ処理システムである。
【００２６】
かかる発明では、店舗機は、本部機から配信された本部マスターデータを店舗配信ファイルに記憶するとともに、当該本部マスターデータに含まれる即時データについては当該配信を受信した後の最初の開店処理時に店舗マスターファイルに反映する。この開店処理は、同日に何回も行われ得るが、その都度に最新の本部マスターデータを利用して商品販売データ処理を行える。
【００２７】
また、当該本部マスターデータに含まれる予約データについては当該予約日時以降の最初の開店処理時に店舗マスターファイルに反映される。つまり、予約日時直前の開店処理で利用可能になる。
【００２８】
したがって、請求項３および請求項４の発明の場合と同様な作用効果を奏することができることに加え、さらにデータ管理が容易でかつ即時デ−タおよび予約データをそれぞれの適時から確実に利用することができる。
【００２９】
さらに、請求項６の発明は、店舗内に配設されかつ商品販売に係るデータ処理を行う店舗機と本部内に配設された本部機とがネットワークを介してデータ通信可能に接続されるとともに、本部機から店舗機に該データ処理を行うための本部マスターデータを配信可能に形成された商品販売データ処理システムにおいて、前記店舗機に、店舗マスターデータを店舗メンテナンスするための店舗メンテナンス入力手段と，店舗メンテナンス済み店舗マスターデータを店舗設定テーブルに記憶する店舗設定記憶制御手段と，店舗メンテナンス済み店舗マスターデータの中の即時データについて店舗マスターファイルに反映させる店舗即時反映制御手段，前記本部機から集信要求を受信した場合に店舗設定テーブルに記憶されている店舗マスターデータを当該本部機に応答送信する応答送信制御手段と，前記本部機から配信されて来た本部マスターデータを店舗配信ファイルに記憶する店舗配信記憶制御手段と，開店処理時に店舗配信ファイルに記憶されている本部マスターデータの中の即時データを店舗マスターファイルに反映させる店舗配信即時反映制御手段と，開店処理時に店舗配信ファイルに記憶されている本部マスターデータの中の予約日が当日である予約データを店舗マスターファイルに反映させる店舗配信予約反映制御手段とを設け、
前記本部機に、本部マスターデータについての本部メンテナンスを実行する前に前記店舗機に集信要求を送信する集信要求送信制御手段と，集信要求に応えて当該店舗機から応答受信した店舗メンテナンス済み店舗マスターデータを本部集信ファイルに記憶する集信記憶制御手段と，集信記憶された店舗メンテナンス済み店舗マスターデータの中の即時データについて本部マスターファイルに反映させる本部集信即時反映制御手段と，集信記憶された店舗メンテナンス済み店舗マスターデータの中の予約データについて本部マスターファイルに反映させる本部集信予約反映制御手段と，本部マスターデータを本部メンテナンスするための本部メンテナンス入力手段と，本部メンテナンス済み本部マスターデータの中の即時データを本部即時設定テーブルに記憶する本部即時設定記憶制御手段と，本部メンテナンス済み本部マスターデータの中の予約データを本部予約設定テーブルに記憶する本部予約設定記憶制御手段と，配信要求に基づいて本部即時設定テーブルおよび本部予約設定テーブルに記憶されている本部メンテナンス済み本部マスターデータを前記店舗機に配信する本部配信制御手段とを設け、
前記店舗機および本部機の双方において当該各マスターデータをメンテナンス可能であるとともに、前記本部機が店舗機側で店舗メンテナンスされた店舗マスターデータについて反映した後に本部メンテナンスを実行可能かつ本部メンテナンス後の本部マスターデータを店舗機に配信可能に形成された商品販売データ処理システムである。
【００３０】
かかる発明では、店舗機において、店舗メンテナンス入力手段を用いた店舗メンテナンス入力を行える。つまり、店舗マスターファイルに記憶されている店舗マスターデータについてメンテナンス（商品データの追加・変更・削除等）を独自に行える。すると、店舗設定記憶制御手段が、店舗メンテナンス済み店舗マスターデータを、店舗設定テーブルに記憶する。また、店舗即時反映制御手段は、店舗メンテナンス済み店舗マスターデータの中の即時データについては、直ちに店舗マスターファイルに反映させる。つまり、即時から利用できる。ただし、予約データについては、当該時では、店舗マスターファイルに反映させない。その必要が無いことによる。後に本部から配信されて来る本部マスターデータに反映されているからである。
【００３１】
一方、本部機で本部メンテナンスをしようとすると、まず集信要求送信制御手段が、各店舗機に集信要求を送信する。この集信要求を受信した店舗機側の応答送信制御手段は、店舗設定テーブルに記憶されている店舗マスターデータを本部機に応答送信する。つまり、店舗は、自店で店舗メンテナンスを行った場合にその内容を本部へ報告することになる。この際、大量の店舗マスターデータを記憶している店舗マスターファイルを検索しなくてもよいから、迅速な応答ができる。
【００３２】
この集信要求に応えて当該店舗機から応答受信した本部機では、集信記憶制御手段が働き、応答受信した店舗メンテナンス済み店舗マスターデータを本部集信ファイルに記憶する。次いで、本部集信即時反映制御手段が、当該店舗マスターデータの中の即時データについて、本部マスターファイルに反映させる。これにより、店舗機側で実行した店舗メンテナンス内容が消失されないことが理解される。なお、当該店舗マスターデータの中の予約データについては、本部集信予約反映制御手段が、例えば各予約日時までに、本部マスターファイルに反映させる。
【００３３】
しかる後に、本部メンテナンス入力手段を用いて、本部メンテナンス入力を行う。すると、本部即時設定記憶制御手段が、本部メンテナンス済み本部マスターデータの中の即時データを本部即時設定テーブルに記憶する。また、本部予約設定記憶制御手段は、当該本部メンテナンス済み本部マスターデータの中の予約データを本部予約設定テーブルに記憶する。
【００３４】
そして、配信要求が発せられると、本部配信制御手段が、本部即時設定テーブルおよび本部予約設定テーブルに記憶されている本部メンテナンス済み本部マスターデータを当該各店舗機に配信する。つまり、本部メンテナンスを行ったものだけを、しかも即時データと予約データに整理して配信することができる。なお、即時データと予約データとを、別個にかつ時期を変えて配信することもできる。
【００３５】
配信を受けた店舗側の店舗配信記憶制御手段は、当該本部マスターデータを店舗配信ファイルに記憶する。また、店舗配信即時反映制御手段は、開店処理時に店舗配信ファイルに記憶されている本部マスターデータの中の即時データを店舗マスターファイルに反映させる。なお、予約データについては、店舗配信予約反映制御手段が、開店処理時に店舗配信ファイルに記憶されている本部マスターデータの中の予約日が当日である予約データごとに、店舗マスターファイルに反映させる。
【００３６】
したがって、マスターデータのメンテナンスを本部および各店舗の双方でそれぞれに実行できるとともに両者データを迅速かつ正確に整合させることができるとともに、店舗から本部への従来報告事務を一掃できるから双方メンテナンス方式の導入が容易でかつ業務能率を大幅に向上できる。しかも、本部機および各店舗機において当該各メンテナンス入力手段を用いたメンテナンスを行うだけで、両者間の整合が自動的に行われるから、取り扱いが極めて簡単である。
【００３７】
さらにまた、請求項７の発明は、店舗に配設されかつ商品販売に係るデータ処理を行う店舗機とネットワークを介してデータ通信可能に接続された本部機から店舗機に該データ処理を行うための本部マスターデータを配信するための商品販売データ処理プログラムを記憶したコンピュータで読取り可能な記憶媒体であって、前記商品販売データ処理プログラムが、これを読取った前記本部機を形成するコンピュータに、本部マスターファイルに記憶されている前記本部マスターデータについての本部メンテナンスを実行する前に前記店舗機に集信要求を送信させかつ当該店舗機から受信した店舗メンテナンス済み店舗マスターデータを本部マスターファイルに記憶されている前記本部マスターデータに反映させた後に本部メンテナンスの実行を許可させるものとされている商品販売データ処理プログラムを記憶したコンピュータで読取り可能な記憶媒体である。
【００３８】
かかる発明では、商品販売データ処理プログラムを読取った本部機を形成するコンピュータは、本部マスターファイルに記憶されている本部マスターデータについての本部メンテナンスを実行する前に、店舗機に集信要求を送信しかつ当該店舗機から受信した店舗メンテナンス済み店舗マスターデータを本部マスターファイルに記憶されている本部マスターデータに反映させた後に、本部メンテナンスの実行を許可する。
【００３９】
したがって、商品販売データ処理プログラムをコンピュータに読取らせれば、当該コンピュータを、マスターデータのメンテナンスを本部および各店舗の双方でそれぞれに実行できるとともに両者データを迅速かつ正確に整合させることができるという優れた作用効果を有する商品販売データ処理システムの本部機を簡単かつ低コストで確立させられる。
【００４０】
【発明の実施の形態】
以下、本発明の実施形態について図面を参照して説明する。
（第１の実施形態）
本商品販売データ処理システム（３０，２０）は、基本的構成が従来例（図８）の場合と同様とされているが、さらに図１に示す如く、店舗機２０に店舗メンテナンス入力手段（２６）と店舗設定記憶制御手段（２１，２２）と店舗即時反映制御手段（２１，２２）と応答送信制御手段（２１，２２）と店舗配信記憶制御手段（２１，２２）と店舗配信即時反映制御手段（２１，２２）と店舗配信予約反映制御手段（２１，２２）とを設け、かつ本部機３０に集信要求送信制御手段（３１，３２）と集信記憶制御手段（３１，３２）と本部集信即時反映制御手段（３１，３２）と本部集信予約反映制御手段（３１，３２）と本部メンテナンス入力手段（３６）と本部即時設定記憶制御手段（３１，３２）と本部予約設定記憶制御手段（３１，３２）と本部配信制御手段（３１，３２）とを設け、店舗機２０および本部機３０の双方において当該各マスターデータをそれぞれにメンテナンス可能であるとともに、本部機３０が店舗機２０側で店舗メンテナンスされた店舗マスターデータを本部マスターデータに反映した後に本部メンテナンスを実行可能かつ本部メンテナンス後の本部マスターデータを当該店舗機２０に配信可能に形成されている。
【００４１】
図１において、コンピュータからなる店舗機２０は、ＣＰＵ２１，ＲＯＭ２２，ＲＡＭ２３，ＨＤＤ２４，キーボード（ＫＢ）２６，表示器（ＩＮＤ）２７，ネットワーク（例えば、ＬＡＮ）１用のインターフェイス（Ｉ／Ｆ）およびネットワーク（例えば、ＩＳＤＮ）２用のインターフェイス（Ｉ／Ｆ）を含み、全端末（電子キャッレジスタ）１０の一括管理機能を持つ。
【００４２】
ＲＡＭ２３には、店舗マスターファイル２３Ｍ，店舗設定テーブル２３Ｓおよび店舗配信テーブル２３Ｈが設けられ、いずれもＨＤＤ２４でバックアップされている。
【００４３】
本部内に配設されたコンピュータからなる本部機３０は、ＣＰＵ３１，ＲＯＭ３２，ＲＡＭ３３，ＨＤＤ３４，ＦＤＤ（フロッピーディスク装置）３５，キーボード（ＫＢ）３６，表示器（ＩＮＤ）３７およびネットワーク（例えば、ＩＳＤＮ）２用のインターフェイス（Ｉ／Ｆ）を含み、当該チェーン店である各店舗機２０の一括管理機能を持つ。
【００４４】
ＲＡＭ３３には、本部マスターファイル３３Ｍ，本部即時設定テーブル３３ＳＳ，本部予約設定テーブル３３ＹＳ，本部集信ファイル３３Ｃおよび本部配信フィイル３３Ｈが設けられ、いずれもＨＤＤ３４でバックアップされている。
【００４５】
店舗機２０において、メンテナンス要求を発すると（図３のＳＴ２０でＹＥＳ）、この実施形態では、店舗表示制御手段（ＣＰＵ２１，ＲＯＭ２２）が店舗マスターファイル２３Ｍの記憶内容（店舗マスターデータ）を表示器２７に表示（ＳＴ２２）する。メンテナンスの正確性の向上および容易化を図れる。
【００４６】
かくして、店舗メンテナンス入力手段（キーボード２６）を用いた店舗メンテナンス入力（ＳＴ２３のＹＥＳ）を行える。つまり、店舗マスターファイル２３Ｍに記憶されている店舗マスターデータについてメンテナンス（店舗マスターデータの追加・変更・削除等）を独自に行える。
【００４７】
例えば、店舗マスターデータを構成する一部の季節商品である商品データ（商品名“たらの芽”，単価“２５０円”）を削除し、商品データ（商品名“かつお”，単価“５００円”）を追加する。また、商品データ（商品名“キャベツ”，単価“１５０円”）の単価を“１３５円”に変更する。
【００４８】
さらに、即時利用の即時データ（例えば、上記例の各商品データ）および例えば２日後から利用する予定の（つまり、２日後から販売可能な）予約データ（例えば、商品名“電子玩具”，単価“８５００円”）の何れに対しても店舗メンテナンスを行える。したがって、取り扱いが簡単で適応性を大幅に拡大できる。
【００４９】
このような店舗メンテナンスが実行されると、店舗設定記憶制御手段（ＣＰＵ２１，ＲＯＭ２２）が、店舗メンテナンス済み店舗マスターデータを、店舗設定テーブル２３Ｓに記憶する（ＳＴ２４）。つまり、店舗独自に行ったメンテナンス内容をまとめて記憶保持しておく。メンテナンスされた全てのデータについて行う（ＳＴ２７）。
【００５０】
また、店舗即時反映制御手段（ＣＰＵ２１，ＲＯＭ２２）は、店舗メンテナンス済み店舗マスターデータの中の即時データについては、直ちに店舗マスターファイル２３Ｍに反映させる。つまり、即時利用できる。ただし、予約データ（ＳＴ２５のＮＯ）については、店舗マスターファイル２３Ｍに反映させない。現時点では、その必要性が無いからである。
【００５１】
一方、本部機で本部メンテナンスを実行しようとする（図５のＳＴ５０でＹＥＳ）と、まず集信要求送信制御手段（ＣＰＵ３１，ＲＯＭ３２）が、各店舗機２０に集信要求を送信する（ＳＴ５１）。
【００５２】
この集信要求を受信（図３のＳＴ２８でＹＥＳ）した店舗機２０側の応答送信制御手段（ＣＰＵ２１，ＲＯＭ２２）は、店舗設定テーブル２３Ｓを検索（ＳＴ２９）しかつこれに記憶されている店舗メンテナンス済み店舗マスターデータ相当の送信（報告）データを作成（ＳＴ３０）し、本部機３０に応答送信する（ＳＴ３１）。つまり、自店（２０）で店舗メンテナンスを行った場合にその内容を報告することになる。
【００５３】
この際、店舗設定テーブル２３Ｓを検索すればよい。つまり、大量の店舗マスターデータを記憶している店舗マスターファイル２３Ｍを検索しなくてもよいので、迅速な応答ができる。
【００５４】
この集信要求に応えて当該店舗機２０から応答受信（図５のＳＴ５２でＹＥＳ）した本部機３０では、集信記憶制御手段（ＣＰＵ３１，ＲＯＭ３２）が働き、応答受信した店舗メンテナンス済み店舗マスターデータを本部集信ファイル３３Ｃに記憶する（ＳＴ５３）。
【００５５】
次いで、本部集信即時反映制御手段（ＣＰＵ３１，ＲＯＭ３２）が、判別手段（ＣＰＵ３１，ＲＯＭ３２）によって即時データであると判別（ＳＴ５４，ＳＴ５５のＹＥＳ）された当該店舗マスターデータの中の当該即時データについては、本部マスターファイル３３Ｍに直ちに反映（更新）させる（ＳＴ５６）。全即時データについて行う（ＳＴ５７）。これにより、店舗機２０側で実行した店舗メンテナンス内容が消失されないで本部マスターファイル３３Ｍに確実に反映されると理解される。
【００５６】
すると、本部表示制御手段（ＣＰＵ３１，ＲＯＭ３２）が、本部マスターファイル３３Ｍの記憶内容（本部マスターデータ）を表示器３７に表示（図６のＳＴ５８でＹＥＳ，ＳＴ５９，ＳＴ６０）する。メンテナンスの正確性の向上および容易化を図れる。
【００５７】
しかる後に、本部メンテナンス入力手段（キーボード３６）を用いて、本部メンテナンス入力を行う（ＳＴ６１のＹＥＳ）。この場合も、即時利用の即時データおよび例えば２日後から利用する予定の（つまり、２日後から販売可能な）予約データの何れに対しても本部メンテナンスを行えるから、取り扱いが簡単で適応性を大幅に拡大できる。
【００５８】
本部メンテナンスの内容は、上記した店舗メンテナンスの場合と同様である。入力された商品データは、判別手段（ＣＰＵ３１，ＲＯＭ３２）によって即時データおよび予約データの何れであるかが判別（ＳＴ６２）される。
【００５９】
すると、本部即時設定記憶制御手段（ＣＰＵ３１，ＲＯＭ３２）が、本部メンテナンス済み本部マスターデータの中の即時データ（ＳＴ６２のＮＯ）を本部即時設定テーブル３３ＳＳに記憶する（ＳＴ６３）。また、本部予約設定記憶制御手段（ＣＰＵ３１，ＲＯＭ３２）は、当該本部メンテナンス済み本部マスターデータの中の予約データを本部予約設定テーブル３３ＹＳに記憶する（ＳＴ６４）。全てのデータについて行う（ＳＴ６５）。
【００６０】
そして、配信要求が発せられる（図７のＳＴ６６でＹＥＳ）と、本部配信制御手段（ＣＰＵ３１，ＲＯＭ３２）が、本部即時設定テーブル３３ＳＳおよび本部予約設定テーブル３３ＹＳに記憶されている本部メンテナンス済み本部マスターデータから作成（ＳＴ６８のＹＥＳ，ＳＴ６９）された本部配信ファイル３３Ｈを当該各店舗機２０に配信する（ＳＴ７１）。
【００６１】
つまり、本部メンテナンスを行ったものだけを、しかも即時データと予約データに整理して配信することができる。もとより、即時データと予約データとを、例えば時期を変えて別々に配信することもできる。
【００６２】
ここに、店舗機２０の開店処理を行うと、データ有無判別手段（ＣＰＵ２１，ＲＯＭ２２）が、店舗配信ファイル２３Ｈを検索（図２のＳＴ１０）して、本部機３０側から配信されたデータ（本部メンテナンス済み本部マスターデータ）が記憶されているか否か（有無）を判別（ＳＴ１１）する。また、順番に抽出（ＳＴ１２）したデータが、即時データであるか否か（ＳＴ１３）あるいは予約データであるか否か（ＳＴ１４）を判別する。
【００６３】
即時データ（ＳＴ１３のＹＥＳ）については、店舗配信即時反映制御手段（ＣＰＵ２１，ＲＯＭ２２）が、店舗マスターファイル２３Ｍに即刻反映（更新）させる（ＳＴ１５）。予約データに付いては、店舗配信予約反映制御手段（ＣＰＵ２１，ＲＯＭ２２）が、当日が当該データの予約日（時）である場合（ＳＴ１４のＹＥＳ）に、当該予約データを店舗マスターファイル２３Ｍに反映（更新）させる（ＳＴ１５）。店舗配信ファイル２３Ｈに記憶されている全てのデータについて行う（ＳＴ１６）。
【００６４】
すなわち、本部機３０から配信された本部マスターデータに含まれる即時データについては当該配信を受信した後の最初の開店処理時に店舗マスターファイル２３Ｍに反映しかつ予約データについては当該予約日時以降の最初の開店処理時に反映する。開店処理は、同日に何回も行われ得るが、その都度に最新の本部マスターデータを利用して商品販売データ処理を行える。また、予約日時直前の開店処理で利用可能になる。したがって、データ管理が容易でかつ即時デ−タおよび予約データをそれぞれの適時から確実に利用することができる。
【００６５】
一方、本部機３０を起動すると、本部集信ファイル３３Ｃに記憶されているデータが抽出（図４のＳＴ４０〜ＳＴ４２）され、予約データ（ＳＴ４３のＹＥＳ）については、本部集信予約反映制御手段（ＣＰＵ３１，ＲＯＭ３２）が、当該予約日以降の最初の起動時（ＳＴ４４のＹＥＳ）に本部マスターファイル３３Ｍに反映（更新）する。全ての予約データについて行う（ＳＴ４６）。したがって、データ管理が容易でかつ即時デ−タおよび予約データをそれぞれの適時から確実に利用することができる。
【００６６】
しかして、この第１の実施形態によれば、店舗機２０が店舗マスターファイル２３Ｍに記憶されている店舗マスターデータについて店舗メンテナンスできかつ本部機３０から集信要求を受信した場合に店舗メンテナンス済み店舗マスターデータを本部機３０に送信（報告）し、本部機３０が本部マスターファイル３３Ｍに記憶されている本部マスターデータについての本部メンテナンスを実行する前に各店舗機２０に集信要求を送信しかつ当該各店舗機２０から受信した店舗メンテナンス済み店舗マスターデータを本部マスターファイル３３Ｍに記憶されている本部マスターデータに反映させた後に本部メンテナンスを実行可能に形成されているので、マスターデータのメンテナンスを本部（３０）および各店舗（２０）の双方でそれぞれに実行できるとともに両者データを迅速かつ正確に整合させることができるとともに、店舗から本部への従来報告事務を一掃できるから双方メンテナンス方式の導入が容易でかつ業務能率を大幅に向上できる。
【００６７】
また、店舗機２０および本部機３０のそれぞれにおいて、即時データおよび予約データの双方について店舗および本部メンテナンスを行えるから、取り扱いが簡単でかつ適応性を大幅に拡大できる。
【００６８】
また、本部機３０は、店舗機２０から集信（受信）した店舗マスターデータに含まれる即時データについては当該受信直後に本部マスターファイル３３Ｍに反映しかつ予約データについては当該予約日以降の最初の起動時に本部マスターファイル３３Ｍに反映するので、データ管理が容易でかつ即時デ−タおよび予約データをそれぞれの適時から確実に利用することができる。
【００６９】
また、店舗機２０は、本部機３０から配信された本部マスターデータを店舗配信ファイル２３Ｈに記憶し、当該即時データについては当該配信を受信した後の最初の開店処理時に店舗マスターファイル２３Ｍに反映しかつ予約データについては当該予約日時以降の最初の開店処理時に店舗マスターファイル２３Ｍに反映するので、データ管理が容易でかつ即時デ−タおよび予約データをそれぞれの適時から確実に利用することができる。
【００７０】
また、商品販売データ処理システムが、店舗機２０に店舗メンテナンス入力手段（２６）と店舗設定記憶制御手段と店舗即時反映制御手段と応答送信制御手段と店舗配信記憶制御手段と店舗配信即時反映制御手段と店舗配信予約反映制御手段とを設け、かつ本部機３０に集信要求送信制御手段と集信記憶制御手段と本部集信即時反映制御手段と本部集信予約反映制御手段と本部メンテナンス入力手段（３６）と本部即時設定記憶制御手段と本部予約設定記憶制御手段と本部配信制御手段とを設けた構成とされているので、本部機３０および各店舗機２０において当該各メンテナンス入力手段（３６，２６）を用いたメンテナンスを行うだけで、両者間の整合が自動的に行われるから、取り扱いが極めて簡単である。
【００７１】
さらに、各店舗機２０に店舗設定テーブル２３Ｓおよび店舗配信テーブル２３Ｈが設けられ、かつ本部機３０に本部即時設定テーブル３３ＳＳ，本部予約設定テーブル３３ＹＳ，本部集信ファイル３３Ｃおよび本部配信フィイル３３Ｈが設けられているので、検索高速化を図りつつデータ管理が容易である。
【００７２】
さらに、各店舗機２０に店舗表示制御手段（２１，２２）が設けられかつ本部機３０に本部表示制御手段（３１，３２）が設けられているので、各メンテナンスの一層の正確性の向上および容易化を図れる。
【００７３】
（第２の実施形態）
この実施形態では、コンピュータ（３０）に記憶媒体（ＦＤ）から商品販売データ処理制御プログラム（図４〜図７）を読取らせ、第１の実施形態の場合と同様な商品販売データ処理システムを構築しかつ商品販売データ処理を実行可能としてある。
【００７４】
すなわち、第１の実施形態では、図４〜図７に示す商品販売データ処理制御プログラムを本部機３０のＲＯＭ３２に格納させていたが、この第２の実施形態では、便宜的に第１の実施形態（図１）に示した本部機３０のＦＤＤ３５を用いて記憶媒体（ＦＤ…フロッピーディスク）に記憶された商品販売データ処理制御プログラム（図４〜図７）を読取って、ＨＤＤ３４に格納しかつＲＡＭ３３に展開して実施可能に形成されている。
【００７５】
したがって、コンピュータ（３０）に記憶媒体（ＦＤ）に記憶された商品販売データ処理制御プログラム（図４〜図７）を読取らせれば、当該コンピュータ（３０）を、第１の実施形態の場合と同様な商品販売データ処理システムとして簡単かつ低コストで構築することができる。
【００７６】
もとより、図１に示すＲＯＭ３２やＨＤＤ３４を着脱可能としかつ図４〜図７に示す商品販売データ処理制御プログラムを格納させておけば、当該ＨＤＤやＲＯＭも記憶媒体となる。さらに、商品販売データ処理制御プログラムを記憶したコンピュータで読取り可能な記憶媒体は、上記（ＦＤ）に限定されずＣＤ−ＲＯＭ，ＤＶＤ−ＲＯＭ，ＭＯ，磁気テープ等から形成してもよい。
【００７７】
【発明の効果】
請求項１の発明によれば、店舗機が店舗マスターファイル（店舗マスターデータ）について店舗メンテナンス可能かつ本部機から集信要求があった場合に店舗メンテナンス内容を本部機に送信可能に形成され、本部機が本部マスターファイル（本部マスターデータ）についての本部メンテナンスを実行する前に店舗機に集信要求を送信可能かつ当該店舗機から受信した店舗メンテナンス済み店舗マスターデータを本部マスターファイル（本部マスターデータ）に反映させた後に本部メンテナンスを実行可能に形成された商品販売データ処理システムであるから、マスターデータのメンテナンスを本部および各店舗の双方でそれぞれに実行できるとともに両者データを迅速かつ正確に整合させることができるとともに、店舗から本部への従来報告事務を一掃できるから双方メンテナンス方式の導入が容易でかつ業務能率を大幅に向上できる。
【００７８】
また、請求項２の発明によれば、店舗機の店舗メンテナンスには即時データのメンテナンスと予約データのメンテナンスとが含まれるているので、即時利用の即時データおよび例えば２日後から利用する予定の予約データの何れに対しても店舗メンテナンスを行える。したがって、請求項１の発明の場合と同様な効果を奏することができることに加え、さらに適応性が広い。
【００７９】
また、請求項３の発明によれば、本部機の本部メンテナンスには即時データのメンテナンスと予約データのメンテナンスとが含まれるので、即時利用の即時データおよび例えば７日後から利用する予定の予約データの何れに対しても本部メンテナンスを行える。したがって、請求項１および請求項２の発明の場合と同様な効果を奏することができることに加え、さらに適応性がより広い。
【００８０】
また、請求項４の発明によれば、本部機が店舗機から受信した店舗メンテナンス済み店舗マスターデータに含まれる即時データについては当該受信直後に本部マスターファイルに反映可能かつ予約データについては当該予約日以降の最初の起動時に本部マスターファイルに反映可能に形成されているので、請求項２および請求項３の発明の場合と同様な効果を奏することができることに加え、さらにデータ管理が容易でかつ即時デ−タおよび予約データをそれぞれの適時から確実に利用することができる。
【００８１】
さらに、請求項５の発明によれば、店舗機が本部機から配信された本部マスターデータを店舗配信ファイルに記憶可能であるとともに、当該本部マスターデータに含まれる即時データについては当該配信を受信した後の最初の開店処理時に店舗マスターファイルに反映可能かつ当該予約データについては当該予約日時以降の最初の開店処理時に前記店舗マスターファイルに反映可能に形成されているので、請求項３および請求項４の発明の場合と同様な効果を奏することができることに加え、さらにデータ管理が容易でかつ即時デ−タおよび予約データをそれぞれの適時から確実に利用することができる。
【００８２】
さらに、請求項６の発明によれば、店舗機に店舗メンテナンス入力手段，店舗設定記憶制御手段，店舗即時反映制御手段，応答送信制御手段，店舗配信記憶制御手段，店舗配信即時反映制御手段および店舗配信予約反映制御手段を設け、かつ本部機に集信要求送信制御手段，集信記憶制御手段，本部集信即時反映制御手段，本部集信予約反映制御手段，本部メンテナンス入力手段，本部即時設定記憶制御手段，本部予約設定記憶制御手段および本部配信制御手段を設け、店舗機および本部機の双方において当該各マスターデータをメンテナンス可能であるとともに、本部機が店舗機側で店舗メンテナンスされた店舗マスターデータについて反映した後に本部メンテナンスを実行可能かつ本部メンテナンス後の本部マスターデータを店舗機に配信可能に形成された商品販売データ処理システムであるから、マスターデータのメンテナンスを本部および各店舗の双方でそれぞれに実行できるとともに両者データを迅速かつ正確に整合させることができるとともに、店舗から本部への従来報告事務を一掃できるから双方メンテナンス方式の導入が容易でかつ業務能率を大幅に向上できる。しかも、本部機および各店舗機において当該各メンテナンス入力手段を用いたメンテナンスを行うだけで、両者間の整合が自動的に行われるから、取り扱いが極めて簡単である。
【００８３】
さらにまた、請求項７の発明によれば、商品販売データ処理プログラムが、これを読取った本部機を形成するコンピュータに、本部マスターファイル（本部マスターデータ）についての本部メンテナンスを実行する前に店舗機に集信要求を送信させかつ当該店舗機から受信した店舗メンテナンス済み店舗マスターデータを本部マスターファイル（本部マスターデータ）に反映させた後に本部メンテナンスの実行を許可させるものとされている商品販売データ処理プログラムを記憶したコンピュータで読取り可能な記憶媒体であるから、この商品販売データ処理プログラムをコンピュータに読取らせれば、当該コンピュータを、マスターデータのメンテナンスを本部および各店舗の双方でそれぞれに実行できるとともに両者データを迅速かつ正確に整合させることができるという優れた効果を有する商品販売データ処理システムの本部機を簡単かつ低コストで確立させられる。
【図面の簡単な説明】
【図１】本発明の第１の実施形態を示すブロック図である。
【図２】同じく、店舗機側の動作を説明するためのフローチャート（１）である。
【図３】同じく、店舗機側の動作を説明するためのフローチャート（２）である。
【図４】同じく、本部機側の動作を説明するためのフローチャート（１）である。
【図５】同じく、本部機側の動作を説明するためのフローチャート（２）である。
【図６】同じく、本部機側の動作を説明するためのフローチャート（３）である。
【図７】同じく、本部機側の動作を説明するためのフローチャート（４）である。
【図８】従来例を説明するためのブロック図である。
【符号の説明】
１  ネットワーク
２  ネットワーク
１０  端末
２０  店舗機
２１  ＣＰＵ（店舗設定記憶制御手段，店舗即時反映制御手段，応答送信制御手段，店舗配信記憶制御手段，店舗配信即時反映制御手段，店舗配信予約反映制御手段）
２２  ＲＯＭ（店舗設定記憶制御手段，店舗即時反映制御手段，応答送信制御手段，店舗配信記憶制御手段，店舗配信即時反映制御手段，店舗配信予約反映制御手段）
２３  ＲＡＭ
２３Ｍ  店舗マスターファイル
２３Ｓ  店舗設定テーブル
２３Ｈ  店舗配信ファイル
２４  ＨＤＤ
２６  キーボード（店舗メンテナンス入力手段）
２７  表示器
３０  本部機
３１  ＣＰＵ（集信要求送信制御手段，集信記憶制御手段，本部集信即時反映制御手段，本部集信予約反映制御手段，本部即時設定記憶制御手段，本部予約設定記憶制御手段，本部配信制御手段）
３２  ＲＯＭ（集信要求送信制御手段，集信記憶制御手段，本部集信即時反映制御手段，本部集信予約反映制御手段，本部即時設定記憶制御手段，本部予約設定記憶制御手段，本部配信制御手段）
３３  ＲＡＭ
３３Ｍ  本部マスターファイル
３３ＳＳ  本部即時設定テーブル
３３ＹＳ  本部予約設定テーブル
３３Ｃ  本部集信ファイル
３３Ｈ  本部配信フィイル
３４  ＨＤＤ
３５  ＦＤＤ
ＦＤ  フロッピーディスク（記憶媒体）
３６  キーボード（本部メンテナンス入力手段）
３７  表示器
【図１】
0003955679.tif 000002
【図２】
0003955679.tif 000003
【図３】
0003955679.tif 000004
【図４】
0003955679.tif 000005
【図５】
0003955679.tif 000006
【図６】
0003955679.tif 000007
【図７】
0003955679.tif 000008
【図８】
0003955679.tif 000009